(57)【要約】【課題】  調湿材の調湿効果のシミュレーション・実演確認と、その体験チャンス・場所の提供とを安価で容易且つ簡便にできる調湿展示装置を提供すること。【解決手段】  内部が透視可能で且つ気密に隔離された２つの展示ケース２，３と、いずれか一方の展示ケース２内部に収容される評価対象となる吸放湿性を有する調湿材４と、２つの展示ケース２，３の湿度を表示する湿度インジケータ５とを備える。２つの展示ケース２，３内部をそれぞれ加湿するための共通する１つの加湿器６又は湿気をそれぞれ除去するための共通する１つの除湿器のいずれか一方を備えた調湿展示装置である。【選択図】        図１
2006346119.tif 000002
【特許請求の範囲】
【請求項１】
内部が透視可能で且つ気密に隔離された２つの展示ケースと、いずれか一方の展示ケース内部に収容される評価対象となる吸放湿性を有する調湿材と、上記２つの展示ケースの湿度を表示する湿度インジケータとを備えると共に、上記２つの展示ケース内部をそれぞれ加湿するための共通する１つの加湿器又は上記２つの展示ケース内部をそれぞれ除湿するための共通する１つの除湿器のいずれか一方を備えることを特徴とする調湿展示装置。
【請求項２】
内部が透視可能で且つ気密に隔離された２つの展示ケースと、いずれか一方の展示ケース内部に収容される評価対象となる吸放湿性を有する調湿材と、上記２つの展示ケースの湿度を表示する湿度インジケータを備えると共に、上記２つの展示ケース内部に２つの加湿手段又は２つの除湿手段のいずれか一方を備え、上記２つの加湿手段が同条件で吸湿処理した同容量の放湿機能を有する２個１組の放湿剤で構成され、上記２つの除湿手段が同条件で放湿処理した同容量の吸湿機能を有する２個１組の吸収剤で構成されていることを特徴とする調湿展示装置。
【請求項３】
上記湿度インジケータは、２つの展示ケースの外部に配置される外部インジケータと、２つの展示ケース内部にそれぞれ収容される２つの内部インジケータとからなることを特徴とする請求項１又は請求項２記載の調湿展示装置。
【発明の詳細な説明】
【技術分野】
【０００１】
本発明は、調湿材の吸放湿性評価を比較展示するための調湿展示装置に関するものである。
【背景技術】
【０００２】
近年、日本の住宅は、高気密・高断熱構造が普及し、そのための新建材が多用されるようになった。
【０００３】
しかしこれらの建築構造や新建材では調湿性・防露性などが不十分なため、冬季は、暖房による温度差に起因する結露が居室間や外壁に接する押入れ収容部・窓サッシ部などに発生しやすく、壁面のシミ・カビ汚染による美観劣化や、さらに換気不足・多湿環境下ではカビ・ダニの発生増殖による喘息・アレルレギー疾病など、健康被害で悩む人も多い。
【０００４】
また、逆に、この高湿度の状態を防ぐために、空調機器や除湿機などの過剰運転に伴う、過乾燥による咽喉部の炎症・喘息など健康被害で悩む人も多い。さらに維持ランニング等（電気エネルギー消費とＣＯ２発生・騒音・部品消耗・故障等）の面で好ましくない。
【０００５】
そこでこのような問題を解決するために、珪藻土などの調湿材を配合することで調湿力を高めた調湿建材が使用されるようになった。
【０００６】
使用される建材の調湿機能・ガス・臭気吸着機能は、基材中に含有された微細な多孔質材料に依存しており、その固有材料が保有する最大の特性能力（吸放湿速度・吸放湿容量、ガス・臭気吸着速度、吸着容量）を発揮するのは、表面化粧が未処理状態の場合である。従って、同一基材であっても、表面化粧法、成分構成（表面材・接着剤等）や仕上げ処理方法によって、上記した特性能力・機能は阻害され、期待効果は全く異なるものになる。
【０００７】
ところが、一般に、既存の調湿建材の宣伝はカタログなど媒体広告の文字や写真比較情報であり、調湿建材を供給する側からの一方的な伝達情報が主体である。展示会等では現地で工事造作により室内空間構造を小型化した模型の比較実演装置を見ることができるが、これは隠蔽部分が多々あり、性能効果を過大に強調するために、現実の工事仕様や湿度環境と異なる特別な施工や機械的な加湿機器を使用して、乾季・雨季・夏場・冬場によって、微妙且つ専門的な事後確認が必要である。従来の比較実演では、実演の場所（屋外、屋内、人の熱気）・環境（冷暖房空調の有無、温度、湿度）・季節（温度、湿度）の変動によって、装置の微調整をしない場合は、比較実演しても明確な差が見えず、見る人を納得・感動させられない。また従来の実演比較装置では、調湿建材の低含水率品と取り替え交換が容易にできる構造となっていないため、機械的加湿の継続によって調湿建材は調湿能力が飽和限界状態になると、調湿機能を失い、非調湿建材との差がなくなり、比較実演装置の本来機能を果たさないばかりか、見る人に誤解情報を与えるなど逆効果となり、そのうえ内部の乾燥に長時間を要し、乾燥中は実演休止が必要となり、機会損失が多大となる。
【０００８】
そこで、製品ライフサイクルの全段階（製造、施工、廃棄等）で、エコロジー面に配慮し、さらに施工者への健康や取り扱い後の健康への影響、環境への影響を配慮し、施工が簡単で、人体に影響がなく、自然環境にも配慮した製品提供と、特に流通関係者や消費者へ性能・機能について選択購入の事前の納得・事後の感動提供のために、現物のシミュレーション・実演確認と、その体験チャンス・場所の提供が重要となってきている。
【０００９】
なお、環境共生住宅の商品化と、必要な技術、材料、栽番をデータ・ベース化し、それをバーチャル展示場でインターネットで販売するシステム（例えば、特許文献１参照）が提案されているが、この従来例にあっては、最適環境住宅をインターネット画面で再現するものであり、例えば、調湿建材の効果を客観的に明確に確認することができず、特に取扱業者や消費者へ性能・機能について選択購入の事前の納得・事後の感動提供までは至らないものであった。
【特許文献１】特開２００２−１０６１８８号公報
【発明の開示】
【発明が解決しようとする課題】
【００１０】
本発明は上記の従来の問題点に鑑みて発明したものであって、調湿材の調湿効果のシミュレーション・実演確認と、その体験チャンス・場所の提供とを安価で容易且つ簡便にできる調湿展示装置を提供することを課題とするものである。
【課題を解決するための手段】
【００１１】
上記課題を解決するために請求項１記載の発明は、内部が透視可能で且つ気密に隔離された２つの展示ケース２，３と、いずれか一方の展示ケース２（又は３）内部に収容される評価対象となる吸放湿性を有する調湿材４と、上記２つの展示ケース２，３の湿度を表示する湿度インジケータ５とを備えると共に、上記２つの展示ケース２，３内部をそれぞれ加湿するための共通する１つの加湿器６又は上記２つの展示ケース２，３内部をそれぞれ除湿するための共通する１つの除湿器のいずれか一方を備えることを特徴としている。
【００１２】
このような構成とすることで、例えば１つの加湿器６から２つの展示ケース２，３にそれぞれ湿気を供給して２つの展示ケース２，３内部を高湿度状態にした場合は、調湿材４が収容されている方の展示ケース２（又は３）の湿度が調湿材４の調湿機能によって低下し、このとき展示ケース２，３間に生じる湿度差を湿度インジケータ５にて表示することで、調湿材４による調湿効果を容易に認知できるようになる。従って、調湿効果の比較実演の場所（屋外、屋内、人の熱気）・環境（冷暖房空調の有無、温度、湿度）・季節（温度、湿度）の変動に左右されることなく、評価対象となる調湿材４の調湿性能・機能（吸放湿速度・吸放湿容量等）を、客観的な計測結果のビジュアル表示と、現象の差異とをリアルタイムで同時に確認ができるようになる。
【００１３】
また請求項２記載の発明は、内部が透視可能で且つ気密に隔離された２つの展示ケース２，３と、いずれか一方の展示ケース２（又は３）内部に収容される評価対象となる吸放湿性を有する調湿材４と、上記２つの展示ケース２，３の湿度を表示する湿度インジケータ５を備えると共に、上記２つの展示ケース２，３内部にそれぞれ２つの加湿手段又は２つの除湿手段のいずれか一方を備え、上記２つの加湿手段が同条件で吸湿処理した同容量の放湿機能を有する２個１組の放湿剤６ａ，６ａで構成され、上記２つの除湿手段が同条件で放湿処理した同容量の吸湿機能を有する２個１組の吸収剤で構成されていることを特徴としている。
【００１４】
このような構成とすることで、評価対象となる調湿材４の調湿性能・機能（吸放湿速度・吸放湿容量等）を、客観的な計測結果のビジュアル表示と、現象の差異とをリアルタイムで同時に確認ができると共に、加湿手段として放湿剤６ａ、除湿手段として吸収剤を用いることにより、展示ケース２，３の制作のための手配部材が簡易となり、生産の短期化に十分に対応できると共に、電源不要で安価で小型且つコンパクトな調湿展示装置１を提供できるようになる。
【００１５】
また請求項３記載の発明は、請求項１又は２において、上記湿度インジケータ５が、２つの展示ケース２，３の外部に配置される外部インジケータ５ｂと、２つの展示ケース２，３内部にそれぞれ収容される２つの内部インジケータ５ａとからなることを特徴としており、これにより、２つの展示ケース２，３の内部と外部の湿度差をより明確に表示できるようになる。
【発明の効果】
【００１６】
本発明に係る調湿展示装置にあっては、内部が透視可能な展示ケースと、加湿器・除湿器のいずれか一方と、湿度インジケータとを用いて、評価対象となる調湿材の調湿性能・機能（吸放湿速度・吸放湿容量等）を目視で確認容易となり、特に取扱業者や消費者へ性能・機能について選択購入の事前の納得・事後の感動提供のために、現物のシミュレーション・実演確認と、その体験チャンス・場所の提供とを安価で容易且つ簡便にできる調湿展示装置を提供できるものである。
【発明を実施するための最良の形態】
【００１７】
以下、本発明を添付図面に示す実施形態に基いて説明する。
【００１８】
図１（ａ）は本実施形態の調湿展示装置１の斜視図であり、同（ｂ）は側面図である。
【００１９】
この調湿展示装置１は、内部が透視可能で且つ気密に隔離された２つの展示ケース２，３と、いずれか一方の展示ケース２（又は３）内部に収容される評価対象となる吸放湿性を有する調湿材４と、上記２つの展示ケース２，３の湿度を表示する湿度インジケータ５と、上記２つの展示ケース２，３内部にそれぞれ湿気Ｍを供給するための共通する１つの加湿器６とを具備している。なお本例では加湿器６を用いるが、これに代えて、２つの展示ケース２，３内部の湿気Ｍをそれぞれ除去するための共通する１つの除湿器を備えたものであってもよい。
【００２０】
ここで、上記２つの展示ケース２，３は、仕切壁７で気密に隔離された左右一対の本体ケース２Ａ，３Ａと、加湿器６が収容される加湿器ケース８とで構成される。左右の本体ケース２Ａ，３Ａの上面開口部は、それぞれ、透明防湿ケース蓋９にて開閉自在に密閉される。左右の本体ケース２Ａ，３Ａの正面は、それぞれ、ガラス材や透明アクリル板等からなる透明窓１０となっている。この透明窓１０の内面が結露可能とすることで、外部から内部の結露現象を目視で確認できるようにしている。
【００２１】
ここで、左右の本体ケース２Ａ，３Ａの仕切壁７と、図１（ａ）の左側の本体ケース３Ａの背面部３ｂ・側面部３ｃは、それぞれ、一般壁材（例えば、石膏ボード＋クロス）で構成されているが、一方、図１（ａ）の右側の本体ケース２Ａの背面部２ｂ・側面部２ｃは、それぞれ、評価対象である吸放湿性を有する調湿材４（以下、「調湿建材４」と呼ぶ）で構成されている。この調湿建材４は例えば珪藻土のような調湿機能・ガス・臭気吸着機能に優れた微細な多孔質材料からなり、吸放湿速度・吸放湿容量、ガス・臭気吸着速度、吸着容量の各特性に優れたものである。
【００２２】
また、左右の本体ケース２Ａ，３Ａの底面部２ａ，３ａには、それぞれ、図１（ｂ）に示すように湿気出入り口３１，３１が設けられており、加湿器ケース８の上面部には左右の開口部３０，３０が設けられている。加湿器ケース８内に設けた１つの加湿器６からの湿気Ｍが、左右の開口部３０，３０から左右の湿気出入り口３１を介して、左右の本体ケース２Ａ，３Ａ内部にそれぞれ供給されるようになっている。
【００２３】
なお本例では、本体ケース２Ａ，３Ａの底面部２ａ，３ａは、それぞれ、面状発熱体で構成されており、本体ケース内部の温度を「本体ケース外部の温度＋１０℃程度」に設定するようにしている。この面状発熱体は、左右２つの本体ケース２Ａ，３Ａの内部と外部の雰囲気の温度差で結露を誘発促進させて、内部の湿度環境を結露現象で目視確認しやすくする働きをする。なお面状発熱体は省略可能である。
【００２４】
さらに、上記左右の本体ケース２Ａ，３Ａ内部には、それぞれ、２つの本体ケース２Ａ，３Ａ内部の湿度を表示するための内部インジケータ５ａが収容されており、本体ケース２Ａ，３Ａの外部には外気（大気）の湿度を表示するための外部インジケータ５ｂが設けられている。
【００２５】
上記の湿度インジケータ５は、色の変化で湿度の状態を表示する湿度センサー部を吸湿紙の上に印刷して構成されている。例えば図２に示すように、周囲の湿度に応じて変色するものであり、図２においては１０％が変色し、２０％以上は変色していないため、周辺の湿度が１０％であることを示している。
【００２６】
ここで、吸湿紙としては、通気性・吸湿に優れるろ紙が用いられる。また湿度センサー部の主材料には極微量の塩化コバルト（ＣＯＣ１２ ）が含有されている。塩化コバルトは湿度変化により鮮やかな発色をするものである。塩化コバルトを使用するメリットは自己可逆機能を有している点である。自己可逆機能とは環境変化によって元の状態に戻ることである。例えば、乾燥状態で青色、吸湿状態でピンク色に変化し、吸湿によりピンク色になっても加熱乾燥や天日乾燥が不要で、相対湿度が低下すれば敏感に常温下で含有湿度も低下し、自動的に青色にもどるため、メンテナンスフリー（加熱乾燥処理が不要）の湿度センサー部が構成される。
【００２７】
しかして、上記１つの加湿器６から２つの展示ケース２，３にそれぞれ湿気を供給して２つの展示ケース２，３内部を高湿度状態にした場合、調湿建材４が収容されている方の展示ケース２（又は３）の湿度が調湿建材４の調湿機能によって低下し、このとき展示ケース２，３間に生じる湿度差を湿度インジケータ５にて表示することで、調湿建材４による調湿効果を容易に認知できるようになる。なお、加湿器６に代えて、除湿器を用いて２つの展示ケース２，３内部を乾燥状態にした場合には、調湿建材４が収容されている方の展示ケース２（又は３）の湿度が調湿建材４の調湿機能によって上がり、このとき展示ケース２，３間に生じる湿度差を湿度インジケータ５にて表示することで、調湿建材４による調湿効果を容易に認知できるようになる。
【００２８】
ここにおいて、加湿器６又は除湿器はいずれも１つで足りるので、低コスト化を図りながら、２つの本体ケース２Ａ，３Ａの間に湿度差をつくることができる。しかも加湿器６を用いた場合、高湿度状態で本体ケース２Ａ，３Ａの各正面の透明窓１０が湿気で曇ることにより、外部から内部の結露現象の差異、湿度状況の差異を目視で外部から観察しやすくなる。この結果、湿度インジケータ５と透明窓１０の両方で、調湿建材４の調湿性能・機能（吸放湿速度・吸放湿容量等）を、客観的な計測結果のビジュアル表示と、現象の差異をリアルタイムで同時に確認ができるようになり、調湿効果の評価が一目瞭然となる。しかも実演の場所（屋外、屋内、人の熱気）・環境（冷暖房空調の有無、温度、湿度）・季節（温度、湿度）の変動に左右されることがなく、比較実演準備も簡便且つスムーズにでき、さらに構造が容易であるためメンテナンスも容易となる。特に取扱業者や消費者へ性能・機能について選択購入の事前の納得・事後の感動提供のために、現物のシミュレーション・実演確認と、その体験チャンス・場所の提供とを安価で容易且つ簡便にできる調湿効果比較確認装置として、本発明に係る調湿展示装置１を有効に使用できるものとなる。また例えば販促用ノベルティー商材として、低コストの広告宣伝用の素人客向け簡易比較実演装置としても有効に使用できるものとなる。
【００２９】
また、本体ケース２Ａ，３Ａを透明防湿ケース蓋９による密閉開閉方式を採用したので、評価対象である調湿建材４の出し入れ、及びセッティングや交換がきわめて容易になると共に、本体ケース２Ａ，３Ａの密閉度を容易に高めることができ、内部が大気中の湿度影響を受けない独立空間環境を安価に確保できるものである。そのうえ本体ケース２Ａ，３Ａの容積を小さくすれば、内部の湿度のコントロールが一層容易となる。
【００３０】
また、湿度インジケータ５として、軽量なカード形式インジケータを用いている。このカード形式インジケータは両面粘着テープなどで簡単に任意位置に設置して支持・掲示ができるので、軽量で場所をとらない設計となり、持ち運びや保管にも最適となる。
【００３１】
図３は本発明の他の実施形態であり、２つの本体ケース２Ａ，３Ａの内部をそれぞれ加湿するための２個１組の放湿剤６ａを収容した場合の一例を示している。他の構成は図１、図２の実施形態と同様であり、対応する部分には同一符号を付しておく。本例の２個１組の放湿剤６ａは同条件で吸湿処理した同容量の放湿機能を有する放湿剤が用いられる。この放湿剤６ａの例として吸放湿性を有する珪藻土等の調湿材が挙げられるが、勿論これに限定されるものではない。しかして、放湿剤６ａを加湿器６として用いることで、展示ケース２，３内部を高湿度状態にすることができ、しかも加湿器６を使用しないため展示ケース２，３の制作のための構成部材が簡易となり、生産の短期化に十分に対応できると共に、放湿剤６ａは電源不要であるため、安価で小型且つコンパクトな調湿展示装置１を提供できるものである。なお展示ケース２，３内部を乾燥させる場合は、放湿剤６ａに代えて、同条件で放湿処理した同容量の吸湿機能を有する２個１組の吸湿剤を用いればよい。
【００３２】
図４は更に他の実施形態であり、２つの本体ケース２Ａ，３Ａの内部をそれぞれ加湿するための２個１組の放湿剤６ａを収容した構造に加えて、両本体ケース２Ａ，３Ａ間の仕切壁７、及び、両本体ケース２Ａ，３Ａの背面部２ｂ，３ｂ・側面部２ｃ，３ｃ・底面部２ａ，３ａをそれぞれ、一般壁材（例えば、石膏ボード＋クロス）で構成し、評価対象となる多数枚の調湿建材４を取っ手１６付きラックホルダー１５で保持して一方の本体ケース２Ａ（又は３Ａ）に収容したものである。ラックホルダー１５は図５に示すように、縦板の上下複数個所に調湿建材４を横から挿入して保持する保持孔を備えている。しかして、一般壁材で構成された本体ケース２Ａ（又は３Ａ）の内部に調湿建材４を保持したラックホルダー１５を収容するだけで、調湿建材４の調湿性能・機能の実演比較ができ、装置のより低コスト化を図ることができる。
【００３３】
なお図４の変形例として、図６に示すように、２つの本体ケース２Ａ，３Ａを別個独立して設けると共に、一方の本体ケース２Ａ（又は３Ａ）の背面に調湿建材４を設け、各本体ケース２Ａ，３Ａの内部にそれぞれ内部インジケータ５ａを配置し、外部にそれぞれ外部インジケータ５ｂを配置した構成としてもよく、この場合、独立して設けた２つの本体ケース２Ａ，３Ａ内部と外部の湿度差をより明確に表示できるようになる。
【００３４】
また、展示ケース２，３として、上記本体ケース２Ａ，３Ａに代えて、図７に示すように、密閉・開封可能な一対の透明防湿袋体２’（一方は図示せず）で構成してもよい。この場合、一方の透明防湿袋体２’の内部に調湿建材４と放湿剤６ａと湿度インジケータ５とを収容し、他方の透明防湿袋体（図示せず）には放湿剤と湿度インジケータとを収容する。しかして、調湿建材４の調湿効果を比較実演するにあたり、場所・環境・季節の変動に左右されないばかりか、小型・軽量・コンパクト且つ携帯性に優れ安価な透明防湿袋体２’が得られる。しかもこの透明防湿袋体２’は携帯性に優れるだけでなく、施工不要で構造が簡易であるため、比較実演準備が簡便且つスムーズにできるうえ、メンテナンスも容易となる。しかもチャック１１による密閉開閉方式であるため、調湿建材４の出し入れ、セッティングや交換が容易になる利点もある。
【００３５】
なお、上記各実施形態に用いられる湿度インジケータ５として、前述のように塩化コバルトをセンサー部の主材料に含有させたものを用いた場合、乾・湿が繰り返されると、塩化コバルトが溶出しやすくなり、このため青色やピンク色が白色方向にぼけて対湿度反応・色変化が鈍くなるなど、センサー機能が低下する問題があり、さらに、塩化コバルトは紫外線に弱く、青色やピンク色が白色方向退色する問題もある。
【００３６】
そこで、湿度インジケータ５の表裏全面を、撥水・防汚性と透湿性を有している天然ロウを主成分にしたワックス塗布コーティングするのが望ましい。これにより天然ロウを主成分にしたワックスが定位置に担示し、紫外線を遮蔽吸収するため乾・湿の繰り返しに耐え得る長寿命の湿度インジケータ５付の調湿展示装置１が得られる。
【００３７】
なお、ワックスとして蜜蝋ワックスを使用するのが望ましい。この蜜蝋ワックスは、通常固形で比較的硬質体で構成され、固形蜜蝋ワックスと乾性油のえごま油を投入した容器を湯煎・溶解後、上記溶解液を撹拌しながら容器ごと流水又は冷水で常温に冷ますことにより溶解液を常温に冷ます工程を経て製造したもので、用途によってワックスの形態が異なる。ここでは、蜜蝋ワックスとえごま油の配合比を６対１５としたもので、軟性（固い練り状）の固形物であるゲル状蜜蝋ワックスを使用する。ここでは、ゲル状蜜蝋ワックスを「蜜蝋ワックス」と呼ぶ。尚、蜜蝋ワックスとえごま油との配合比とこれに対する使用例との関係は、必ずしも上記記載の数値に限定されるものではなく、例えば気温の高い夏季や、気温の低い冬季など塗布作業環境の温度によって、また被着体の表面の粗密（粗さ）状態・凹凸状態・吸い込み浸透状態などの変化や仕上げ状態に応じて適宜調整可能であって、因みに蜜蝋濃度が淡い場合は、浸透性が良く、また濃い場合は、強い皮膜を形成するのに好適であり、これらの特徴を活かして使用すべきである。さらに上記の配合比・区分を超えた実使用も十分考えられ、且つその配合比は用途に応じて容易に調整できるものである。
【００３８】
なお、上記蜜蝋ワックスの調湿特性を測定する方法として、例えば、多孔材料からなる基材の表面に３０ｇ／ｍ２の蜜蝋ワックスを塗布し、２０℃、相対湿度６０％の雰囲気下に３日間放置した試料を、２０℃、相対湿度９０％の環境下に移し、２４時間の重量変化（増加)を測定して吸湿特性を調べた。次に、再度、２０℃、相対湿度６０％の雰囲気下に移し、２４時間の重量変化（減少）を測定した。測定結果を図８に示す。図８中のＬ１、Ｌ３は基材自体の調湿特性であり、Ｌ２、Ｌ４は蜜蝋ワックスを塗布した最終製品の調湿特性であり、調湿特性の劣化が殆どないことがわかる。この結果、湿度インジケータ５の表裏全面に蜜蝋ワックスを塗布した場合、吸・放湿速度、吸・放湿量の両面で優れており、また吸湿・放湿の速度、容量ともに同等でバランスが良いことがわかる。
【００３９】
また、上記湿度インジケータ５の設置個所として、実際の部屋の壁や天井を調湿建材で仕上げ・施工したクローゼット内や居室・寝室などの調湿建材表面に湿度インジケータ５を設置し、さらに、調湿建材で仕上げ・施工していない廊下や居室の壁面や天井にも湿度インジケータ５を設置して、調湿建材の設置・施工の有無による空気環境を、体感比較とインジケータ表示の両方で生活者にも認知しやすくすることもできる。
【００４０】
更に他の実施形態として、湿度インジケータ５は、収容ボックス構成の内装材を調湿建材で仕上げ・施工したもの（例えば、調湿性能比較判定装置、販促用ディスプレイ、ノベルティ、展示会、住宅内装建材、掘りこたつ、キッチン・下駄箱・洗面化粧台・床下収容庫・押入れ・脱衣ボックス・トイレの収容商品の内装用、自動車・電車など車両空間の内装）の表面に設置してもよいものであり、この場合においても、空気環境を、体感比較とインジケータ表示の両方で生活者に認知しやすくできる。
【図面の簡単な説明】
【００４１】
【図１】本発明の一実施形態を示し、（ａ）は調湿展示装置の斜視図、（ｂ）は側面図である。
【図２】同上の湿度インジケータの正面図である。
【図３】本発明の他の実施形態の斜視図である。
【図４】本発明の更に他の実施形態の斜視図である。
【図５】同上のラックホルダーの斜視図である。
【図６】本発明の更に他の実施形態の斜視図である。
【図７】本発明の更に他の実施形態の斜視図である。
【図８】同上の蜜蝋ワックス塗装品の吸放湿性の測定結果を示すグラフである。
【符号の説明】
【００４２】
１  調湿展示装置
２，３  展示ケース
４  調湿材
５  湿度インジケータ
５ａ  内部インジケータ
５ｂ  外部インジケータ
６  加湿器
６ａ  放湿剤
【図１】
2006346119.tif 000003
【図２】
2006346119.tif 000004
【図３】
2006346119.tif 000005
【図４】
2006346119.tif 000006
【図５】
2006346119.tif 000007
【図６】
2006346119.tif 000008
【図７】
2006346119.tif 000009
【図８】
2006346119.tif 000010